(57)【要約】【課題】  解体・再構築が容易な建物の内部壁構造およびその施工方法を提供する。【解決手段】  鋼製の上辺枠材１１と、複数の上部固定金物２１と、複数の吊り下げ金物２２と、鋼製の上辺枠材、下辺枠材１２、および複数の縦枠材１３と、下辺枠材１２を床面に固定する下部固定金物２３と、各枠材１１〜１３からなる壁下地枠組体１０に張られる壁面材１４，１５とを備える。上部固定金物２１は、上辺枠材１１の長手方向複数箇所の上面に取付けられる。吊り下げ金物２２は、上部固定金物２１上に取付けられて天井材支持フレーム１Ａに取付けられる。上部固定金物２１は上面板部２１ａａを有し、この上面板部２１ａａに切欠部２５を有する。吊り下げ金物２２は、下面から突出して上部固定金物２１の切欠部２５に挿通されるボルト２８を有し、上面板部２１ａａの下方からボルト２８に螺合する固定ナット２９により固定される。【選択図】      図２
2010065485.tif 000002
【特許請求の範囲】
【請求項１】
上辺枠材と、この上辺枠材の長手方向複数箇所の上面にそれぞれ取付けられた複数の上部固定金物と、これら各上部固定金物上に取付けられて天井材支持フレームに取付けられる複数の吊り下げ金物と、前記上辺枠材の下方に配置された下辺枠材と、この下辺枠材を床面に固定する下部固定金物と、前記上辺枠材と下辺枠材とに上下端が接合された複数の縦枠材と、これら上辺枠材、下辺枠材、および縦枠材からなる壁下地枠組体に張られた壁面材とを備え、
前記上辺枠材、下辺枠材、および縦枠材はそれぞれ鋼製であり、
前記上部固定金物は、上辺枠材の上面から離れた上面板部を有しこの上面板部に切欠部を有し、前記吊り下げ金物は、下面にボルトが突出してこのボルトが前記上部固定金物の上面板部の切欠部に挿通されかつ上面板部の下方から固定ナットにより固定される、
建物の内部壁構造。
【請求項２】
請求項１において、前記天井材支持フレームは、立片およびこの立片の下端の両側に延びる横片を有し前記横片に天井面材が載せられる逆Ｔ字状の断面形状のＴバーからなり、前記吊り下げ金物は、リップ部が前記Ｔバーの横片の上面側縁に係合する上向きの断面リップ溝形のクリップ部を有する建物の内部壁構造。
【請求項３】
請求項１において、前記吊り下げ金物は、前記天井材支持フレームの下面に張られた天井面材の下面から固着具により前記天井材支持フレームに取付けられる建物の内部壁構造。
【請求項４】
請求項１記載の建物の内部壁構造を施工する方法であって、前記天井材支持フレームに前記吊り下げ金物および上部固定金物を介して前記上辺枠材を固定する過程と、この上辺枠材の下方に位置して床面上に前記下辺枠材を前記下部固定金物で固定する過程と、上辺枠材と下辺枠材とに縦枠材を接合して壁下地枠組体を組む過程と、この組まれた壁下地枠組体に壁面材を張る過程とを含む建物の内部壁構造の施工方法。
【発明の詳細な説明】
【技術分野】
【０００１】
この発明は、建物の内部に解体・再構築可能に設けられる間仕切り壁等の内部壁構造とその内部壁構造の施工方法に関する。
【背景技術】
【０００２】
建物の内部壁の従来工法として一般的なものは、鋼製下地材（軽鉄下地材）を縦横に組んだ後、この下地組体に石膏ボード等の面材をビス止めするという工法であり、最も安価に内部壁を構築できる。この場合、前記面材上に、壁紙、クロス、化粧板等の仕上げ材を貼って内部壁が仕上げられる。
【特許文献１】特開２００１−１８２２００号公報
【特許文献２】特開２００２−１０６０９３号公報
【発明の開示】
【発明が解決しようとする課題】
【０００３】
しかし、上記した工法により構築された内部壁の場合、その構成部材を内部壁として再利用しようとしても、再利用可能に解体することが困難である。すなわち、例えば、面材となる石膏ボードからビスを取り外し、下地組体を分解して鋼製下地材（軽鉄下地材）を再利用することは可能であるが、非常に手間を要してしまう。そのため、壁面を構成する資材の一部としての再利用は想定できても、全部材を内部壁として再利用するのは現実的ではない。
【０００４】
また、解体・再利用を想定した壁構造として、パーティション等の後付けの間仕切り壁を用いるものが知られているが、壁面パネルとしては非常に高価な製品であり、部材として運搬する際の輸送費も加わるため、コスト面の観点から上記構造からの置き換えが困難である。
【０００５】
この発明の目的は、初回建築時には部材単位で建築が行え、また天井を先に施工した場合にも適用でき、解体時には枠組体の形態に解体が行えて、その枠組体を再構築にそのまま利用でき、解体・再構築が容易な建物の内部壁構造およびその施工方法を提供することである。
【課題を解決するための手段】
【０００６】
この発明の建物の内部壁構造は、上辺枠材と、この上辺枠材の長手方向複数箇所の上面にそれぞれ取付けられた複数の上部固定金物と、これら各上部固定金物上に取付けられて天井材支持フレームに取付けられる複数の吊り下げ金物と、前記上辺枠材の下方に配置された下辺枠材と、この下辺枠材を床面に固定する下部固定金物と、前記上辺枠材と下辺枠材とに上下端が接合された複数の縦枠材と、これら上辺枠材、下辺枠材、および縦枠材からなる壁下地枠組体に張られた壁面材とを備え、前記上辺枠材、下辺枠材、および縦枠材はそれぞれ鋼製であり、前記上部固定金物は、上辺枠材の上面から離れた上面板部を有しこの上面板部に切欠部を有し、前記吊り下げ金物は、下面にボルトが突出してこのボルトが前記上部固定金物の上面板部の切欠部に挿通されかつ上面板部の下方から固定ナットにより固定されるものである。
この構成によると、次の工程より、建物の内部壁構造を容易に構築できる。すなわち、上辺枠材の上面に上部固定金物を取付け、吊り下げ金物を上部固定金物に取付け、この吊り下げ金物を天井材支持フレームに取付ける。床面の上に下部固定金物を取付け、この下部固定金物に下辺枠材を取付ける。下辺枠材と上辺枠材に渡って縦枠材を組み、各枠材からなる壁下地枠組体の両面に壁面材を張る。また、天井材支持フレームに吊り下げ金物および上部固定金物を介して上辺枠材を取付ける構造であるため、天井を先に施工した場合にも適用することができる。
構築後の解体時には、前記壁下地枠組体から壁面材を分離し、下部固定金物への下辺枠材の接合を解く。吊り下げ金物のボルトから固定ナットを取り外して上部固定金物への吊り下げ金物の取付けを解除し、壁下地枠組体を水平にスライドさせることで、天井材支持フレームに残された吊り下げ金物のボルトを、上部固定金物の切欠部から係合解除する。これにより、壁下地枠組体を、枠組体の状態で建物の躯体から容易に解体することができる。この解体した壁下地枠組体は、枠組体の状態であるため、そのまま、再度の枠組過程を必要とせずに、内部壁の再構築に用いることができる。
【０００７】
この発明において、前記天井材支持フレームは、立片およびこの立片の下端の両側に延びる横片を有し前記横片に天井面材が載せられる逆Ｔ字状の断面形状のＴバーからなり、前記吊り下げ金物は、リップ部が前記Ｔバーの横片の上面側縁に係合する上向きの断面リップ溝形のクリップ部を有するものとしても良い。
この構成の場合、クリップ部で係合させることで、Ｔバーからなる天井材支持フレームに吊り下げ金物を結合でき、天井材支持フレームへの吊り下げ金物の取付けを容易に行うことができる。
【０００８】
この発明において、前記吊り下げ金物は、前記天井材支持フレームの下面に張られた天井面材の下面から固着具により前記天井材支持フレームに取付けられるものとしても良い。このように天井面材の下面から固着具により固着する場合、天井材支持フレームの形状に係わらずに、この建物の内部壁構造を適用することができる。
【０００９】
この発明の建物の内部壁構造の施工方法は、前記発明の建物の内部壁構造を施工する方法であって、前記天井材支持フレームに前記吊り下げ金物および上部固定金物を介して前記上辺枠材を固定する過程と、この上辺枠材の下方に位置して床面上に前記下辺枠材を前記下部固定金物で固定する過程と、上辺枠材と下辺枠材とに縦枠材を接合して壁下地枠組体を組む過程と、この組まれた壁下地枠組体に壁面材を張る過程とを含む方法である。
この施工方法によると、吊り下げ金物および上部固定金物を介して天井材地フレームに上辺枠材を固定し、床面上に下部固定金物を固定し、上辺枠材と下辺枠材とに縦枠材を接合して壁下地枠組体を組み、組まれた壁下地枠組体に壁面材を張ることにより、内部壁構造を容易に構築できる。構築後の解体時には、壁下地枠組体から壁面材を分離し、下部固定金物への下辺枠材の接合を解き、吊り下げ金物のボルトから固定ナットを取り外して上部固定金物への吊り下げ金物の取付けを解除し、壁下地枠組体を水平にスライドさせることで、天井材支持フレームから壁下地枠組体を分離でき、容易に内部壁構造を分解できる。このため、解体・再構築が容易に行なえる。
【発明の効果】
【００１０】
この発明の建物の内部壁構造は、上辺枠材と、この上辺枠材の長手方向複数箇所の上面にそれぞれ取付けられた複数の上部固定金物と、これら各上部固定金物上に取付けられて天井材支持フレームに取付けられる複数の吊り下げ金物と、前記上辺枠材の下方に配置された下辺枠材と、この下辺枠材を床面に固定する下部固定金物と、前記上辺枠材と下辺枠材とに上下端が接合された複数の縦枠材と、これら上辺枠材、下辺枠材、および縦枠材からなる壁下地枠組体に張られた壁面材とを備え、前記上辺枠材、下辺枠材、および縦枠材はそれぞれ鋼製であり、前記上部固定金物は、上辺枠材の上面から離れた上面板部を有しこの上面板部に切欠部を有し、前記吊り下げ金物は、下面にボルトが突出してこのボルトが前記上部固定金物の上面板部の切欠部に挿通されかつ上面板部の下方から固定ナットにより固定されるものとしたため、初回建築時には部材単位で建築が行え、また天井を先に施工した場合にも適用でき、解体時には枠組体の形態に解体が行えて、その枠組体を再構築にそのまま利用でき、建物の内部壁を解体・再構築することが容易となる。
この発明の建物の内部壁構造の施工方法は、前記発明の建物の内部壁構造を施工する方法であって、前記天井材支持フレームに前記吊り下げ金物および上部固定金物を介して前記上辺枠材を固定する過程と、この上辺枠材の下方に位置して床面上に前記下辺枠材を前記下部固定金物で固定する過程と、上辺枠材と下辺枠材とに縦枠材を接合して壁下地枠組体を組む過程と、この組まれた壁下地枠組体に壁面材を張る過程とを含む方法としたため、初回建築時には部材単位で建築が行え、また天井を先に施工した場合にも適用でき、解体時には枠組体の形態に解体が行えて、その枠組体を再構築にそのまま利用でき、建物の内部壁を解体可能に容易に構築することができる。
【発明を実施するための最良の形態】
【００１１】
この発明の第１の実施形態を図１ないし図１２と共に説明する。図１（Ａ）は、この実施形態の建物の内部壁構造における壁面パネルと天井材支持フレームとの配置関係を示した斜視図である。天井材支持フレームは、天井面材３を支持する部材であり、図１（Ｂ）に断面図で示すように、立片１ａおよびこの立片１ａの下端の両側に延びる横片１ｂを有する逆Ｔ字状の断面形状のＴバー１Ａ，１Ｂからなる。この場合、天井材支持フレームは、メインＴバー１Ａと、このメインＴバー１Ａに対して直角方向に延びる直交Ｔバー１Ｂとでなる。第１の天井材支持フレームであるメインＴバー１Ａは、図示しない吊木材から吊ボルト４で支持され、その端部が接合金物５を介して廻縁７に締結される。第２の天井材支持フレームである直交Ｔバー１Ｂは、その端部が接合金物６を介してメインＴバー１Ａの側面に締結される。メインＴバー１Ａと直交Ｔバー１Ｂで囲まれたグリッドに天井面材３が載せ掛けられる。
【００１２】
図２（Ａ），（Ｂ）は、この実施形態の建物の内部壁構造の部分破断正面図および部分破断側面図を示す。この内部壁構造は、上辺枠材１１と、下辺枠材１２と、複数の縦枠材１３と、複数の上部固定金物２１と、複数の吊り下げ金物２２と、複数の下部固定金物２３と、前記上辺枠材１１、下辺枠材１２、および縦枠材１３からなる壁下地枠組体１０に張られた壁面材１４，１５とを組み合わせて構成される。壁下地枠組体１０を構成する各枠材１１〜１３は、例えば軽鉄（すなわち鋼板のプレス加工品からなる鉄骨である軽量形鋼）製のものが使用される。壁下地枠組体１０は同一平面上に並べて複数設けられる。
【００１３】
図１（Ａ）の壁面パネル２は、図２のように、鋼製の壁下地枠組体１０に壁面材１４，１５を張って構成される。壁下地枠組体１０は、上辺枠材１１、下辺横枠材１２，およびこれら上辺横枠材１１と下辺横枠材１２間に渡って組まれた複数本の縦枠材１３とでなる。この壁下地枠組体１０の両面に壁面材１４，１５が張られて、壁面パネル２が構成される。
このうち、上辺枠材１１と下辺枠材１２とは、例えば、それぞれ下向きおよび上向きの溝形のものとされる。縦枠材１３は例えば角パイプ状のものとされ、上下端が溝形の上辺枠材１１および下辺枠材１２に嵌合して、ビス３０により接合される。片面の壁面材１４は例えば化粧板からなり、もう片面の壁面材１５は例えば石膏ボードからなる。
【００１４】
図３（Ａ），（Ｂ），（Ｃ）は、前記上部固定金物２１の平面図、正面図、および側面図を示す。上部固定金物２１は、前記壁下地枠組体１０の構成部材である上辺枠材１１のの長手方向複数箇所の上面に、所定の間隔を隔てて取付けられる金物であり、正面形状がハット形とされる。すなわち、上部固定金物２１は、上方に突出する断面逆Ｕ字上の突部２１ａと、この突部２１ａの両下端から外側に向けて水平に延びる一対の取付片部２１ｂとを有し、突部２１ａの上端部分が平板状の上面板部２１ａａとされている。突部２１ａには、ボルト挿通用の切欠部２５が設けられる。この切欠部２５は、両取付片部２１ｂの並び方向に延びて、突部２１ａの上面板部２１ａａから片方の側面板部２１ａｂに渡って形成されている。この上部固定金物２１は、その両取付片部２２ｂをビス２６で上辺枠材１１の上面に固定することにより、その切欠部２５が壁下地枠組体１０の配置方向に向く姿勢となるように上辺枠材１１に取付けられる。
なお、図３（Ａ）〜（Ｃ）の上部固定金物２１の代わりに、図３（Ｄ）〜（Ｆ）に示す上部固定金物２１Ａを用いても良い。同図の上部固定金物２１Ａは、図３（Ａ）〜（Ｃ）の上部固定金物２１に対して、ボルト挿通用の切欠部２５が両取付片部２１ｂの並び方向と直交する方向に形成されている。上部固定金物２１Ａのその他の構成は、図３（Ａ）〜（Ｃ）の上部固定金物２１と同じである。
これら２種類の上部固定金物２１，２１Ａの選択は、内部壁の構築後の解体撤去時に、壁パネル２をどちらに移動させて撤去するかに応じて行われる。すなわち、壁パネル２を撤去するには、上部固定金物２１，２１Ａの切欠部２５から後述のボルト２８が外れるように壁パネル２をスライド移動させる。このときに、壁パネル２をその幅方向に沿って移動させて撤去したい場合は、図３（Ａ）〜（Ｃ）の上部固定金物２１を用い、壁パネル２をその面に垂直方向に移動させて撤去したい場合は、図３（Ｄ）〜（Ｆ）の上部固定金物２１Ａを用いる。
【００１５】
図４（Ａ），（Ｂ），（Ｃ）は、前記吊り下げ金物２２の平面図、正面図、および側面図を示す。吊り下げ金物２２は、前記各上部固定金物２１の上に取付けられて、天井材支持フレームであるメインＴバー１Ａに取付けられる金物である。この吊り下げ金物２２は、リップ部２７ａ，２７ｂが前記メインＴバー１Ａの横片１ｂ（図１（Ｂ））の上面両縁に係合する上向きの断面リップ溝形のクリップ部２７と、このクリップ部２７の底面部２７ｃから下向きに突出し前記上部固定金物２１の切欠部２５に挿通されるボルト２８とでなる。上部固定金物２１の切欠部２５に挿通させた前記ボルト２８に、上部固定金物２１の突部上面板部２１ａａの下方から固定ナット２９を螺合させることで、上部固定金物２１の突部上面板部２１ａａに吊り下げ金物２２が固定される。
【００１６】
下部固定金物２３は、前記壁下地枠組体１０の構成部材である下辺枠材１２を建物の床面８上に固定する金物である。この下部固定金物２３は、図２（Ｂ）のように、前記下辺枠材１２が嵌合する上向き溝形に形成され、床面固定鋲２４で床面８上に固定される。
【００１７】
この構成の建物の内部壁構造の施工方法を、図５〜図９を参照して以下に説明する。ここでは、図１（Ａ）のように前記壁面パネル２を前記メインＴバー１Ａに沿う方向に配置して内部壁構造を構築する場合を例示する。
先ず、図５（Ｂ）〜図５（Ｅ）のように、壁下地枠組体１０の構成部材である上辺枠材１１の上面に、その長手方向に沿って所定の間隔を隔てて２つの上部固定金物２１をビス２６で固定する。この場合、各上部固定金物２１の切欠部２５は同じ向きとなるように揃えられる。図５（Ａ）は、壁面パネル２が取付けられる前の天井材支持フレームであるメインＴバー１Ａの側面図を示す。なお、図３では、上部固定金物２１の突部２１ａの幅寸法を取付片部２１ｂよりも狭くした場合を示したが、図５では突部２１ａの幅寸法を取付片部２１ｂと等しくしている。
【００１８】
次に、図６（Ｂ）〜図６（Ｅ）のように、図４に示した吊り下げ金物２２を前記各上部固定金物２１に仮止めする。具体的には、吊り下げ金物２２のボルト２８を上部固定金物２１の切欠部２５に挿入し、上部固定金物２１の突部上面板部２１ａａの下方から前記ボルト２８に固定ナット２９を緩く螺合させる。このとき、各吊り下げ金物２２のクリップ部２７は、その両リップ部２７ａ，２７ｂで挟まれる隙間が、上辺枠材１１の長手方向に向く姿勢に揃える。
【００１９】
次に、図７（Ａ）〜図７（Ｃ）のように、前記各吊り下げ金物２２を天井材支持フレームであるメインＴバー１Ａに取付ける。具体的には、吊り下げ金物２２のクリップ部２７内にメインＴバー１Ａの横片１ｂを挿通させて、その横片１ｂの上面側縁に前記クリップ部２７の両リップ部２７ａ，２７ｂを係合させる。その後、吊り下げ金物２２のボルト２５に緩く螺合させていた固定ナット２９を締めて、固定ナット２９とクリップ部２７の間に上部固定金物２１の突部上面板部２１ａａを挟み付ける。これにより、上辺枠材１１は、上部固定金物２１および吊り下げ金物２２を介してメインＴバー１Ａに沿う姿勢でメインＴバー１Ａに固定される。
【００２０】
次に、図８（Ａ）〜図８（Ｃ）のように、メインＴバー１Ａの延長方向に沿って床面８の上に複数の下部固定金物２３を床面固定鋲２４で取付け、これらの下部固定金物２３に壁下地枠組体１０の構成部材である下辺枠材１２を取付け、さらに下辺枠材１２と上辺枠材１１に渡って縦枠材１３を組み、壁下地枠組体１０を構成する。縦枠材１３は、溝形の下辺枠材１２と上辺枠材１１とに両端を嵌合させ、その嵌合部分を下辺枠材１２および上辺枠材１１にビス３０で接合する。下端の嵌合部分では、下部固定金物２３と共にビス３０で接合する。
【００２１】
次に、図９（Ａ）〜図９（Ｃ）のように、壁下地枠組体１０の片面に化粧板からなる壁面材１４を面ファスナ等の接合材で貼り付け、壁下地枠組体１の他の片面に石膏ボードからなる壁面材１５をビスなどの固着具（図示せず）で接合して壁面パネル２を完成させる。壁面パネル２の下辺部は、下部固定金物２３や下辺枠材１２が隠れるように、幅木３１で納める。このようにして、建物の内部壁構造を、部材単位で組み立てて容易に構築することができる。また、天井勝ちの工法、つまり天井を先に施工した後に内部壁を構築する工法にも適用することができる。
【００２２】
図１０〜図１２は、上記のように施工された建物の内部壁構造の解体手順を示す。
この解体作業では、先ず図１０（Ａ）〜図１０（Ｃ）のように、壁面パネル２の幅木３１や化粧板からなる片面の壁面材１４を壁下地枠組体１０から分離する。石膏ボードからなるもう片面の壁面材１５は分離しない。
【００２３】
次に、図１１（Ａ）〜図１１（Ｃ）のように、下部固定金物２３と共に下辺枠材１２と縦枠材１３の下端を接合するビス３０を取り外し、さらに上部固定金物２１の突部上面板部２１ａａを吊り下げ金物２２のクリップ部に締め付け固定する固定ナット２９をボルト２８から取り外す。
【００２４】
次に、図１２（Ａ）〜図１２（Ｃ）のように、上部固定金物２１および壁面材１５を取付けたままの壁下地枠組体１０を、その面に沿う方向つまりメインＴバー１Ａに沿って水平にスライドさせて、メインＴバー１Ａに残された吊り下げ金物２２のボルト２８を、上部固定金物２１の切欠部２５から係合解除する。これにより、壁下地枠組体１０を、片面の壁面材１５が接合された壁面パネルとして容易に解体することができ、これを内部壁の再構築に用いることができる。再構築のときには、上記壁面材１５付きの壁面パネルを、解体時の手順と逆の手順で天井材支持フレームであるメインＴバー１Ａに固定することにより、内部壁構造を再構築することができる。
【００２５】
図１３および図１４は、図１〜図１２に示した実施形態において、壁面パネル１０を図１３のように直交Ｔバー１Ｂに沿う方向、つまりメインＴバー１Ａと直交する方向に配置した場合の内部壁構造の例を示す。この例では、図１４のように、上部固定金物２１の突部上面板部２１ａａに吊り下げ金物２２を仮止めする場合に、吊り下げ金物２２のクリップ部２７の両リップ部２７ａ，２７ｂ（図４）で挟まれる隙間の方向が、上辺枠材１１の長手方向と直交する方向、つまりメインＴバー１Ａに沿う方向となるように吊り下げ金物２２の姿勢を設定する。これにより、壁面パネル１０をメインＴバー１Ａと直交する方向に配置した状態で、吊り下げ金物２２のクリップ部２７内にメインＴバー１Ａの横片１ｂを挿通させて、クリップ部２７の両リップ部２７ａ，２７ｂをメインＴバー１Ａの横片１ｂの上面側縁に係合させることができる。なお、この実施形態においても、解体撤去時に壁パネル２を移動させたい方向に応じて、図３（Ｄ）〜（Ｆ）の上部固定金物２１Ａを、上記上部固定金物２１の代わりに用いても良い。その他の構成および施工方法は、図１〜図１２に示した場合と同様であり、ここではその説明を省略する。
【００２６】
図１５および図１６は、この発明の他の実施形態を示す。この実施形態の建物の内部壁構造は、図１〜図１４に示した実施形態において、上部固定金物２１に取付けられる吊り下げ金物２２を、図１６のように、下向きに突出する断面Ｕ字状の突部３７ａと、この突部３７ａの両上端から外側に水平に延びる一対の取付片部３７ｂとを有する金物本体３７と、この金物本体３７の突部３７ａから下向きに突出させたボルト３８とでなる。この場合、吊り下げ金物２２は、天井材支持フレームである天井野縁９の下面に張られた例えば石膏ボードからなる天井面材３の下面から、固着具として例えばビス３２を用いて前記天井野縁９に取付けられる。天井野縁９は例えば軽量鉄骨の溝形鋼からなる。上部固定金物２１への吊り下げ金物２２の取付構造、およびその他の構造は図１〜図１４に示した実施形態の場合と同様であり、分解手順も図１０〜図１２に示した場合と同様である。
【図面の簡単な説明】
【００２７】
【図１】（Ａ）はこの発明の一実施形態に係る建物の内部壁構造の壁面パネルと天井材支持フレームの配置例の斜視図、（Ｂ）は同天井材支持フレームの断面図である。
【図２】（Ａ）は同内部壁構造の部分破断正面図、（Ｂ）は同部分の破断側面図である。
【図３】（Ａ）は同内部壁構造に用いられる上固定金物の平面図、（Ｂ）は同正面図、（Ｃ）は同側面図、（Ｄ）は上固定金物の変形例の平面図、（Ｅ）は同正面図、（Ｆ）は同側面図である。
【図４】（Ａ）は同内部壁構造に用いられる内部壁支持金物の平面図、（Ｂ）は同平面図、（Ｃ）は同側面図である。
【図５】同内部壁構造の施工の第１段階の説明図である。
【図６】同内部壁構造の施工の第２段階の説明図である。
【図７】同内部壁構造の施工の第３段階の説明図である。
【図８】同内部壁構造の施工の第４段階の説明図である。
【図９】同内部壁構造の施工の最終段階の説明図である。
【図１０】同内部壁構造の解体手順の第１段階の説明図である。
【図１１】同内部壁構造の解体手順の第２段階の説明図である。
【図１２】同内部壁構造の解体手順の最終段階の説明図である。
【図１３】同内部壁構造の壁面パネルと天井材支持フレームの他の配置例の斜視図である。
【図１４】（Ａ）は同配置例での建物の内部壁構造の部分破断正面図、（Ｂ）は同部分破断側面図である。
【図１５】（Ａ）はこの発明の他の実施形態にかかる建物の内部壁構造の部分破断正面図、（Ｂ）は同部分破断側面図である。
【図１６】（Ａ）は同内部壁構造に用いられる内部壁支持金物の平面図、（Ｂ）は同平面図、（Ｃ）は同側面図である。
【符号の説明】
【００２８】
１Ａ，１Ｂ…Ｔバー（天井材支持フレーム）
１ａ…立片
１ｂ…横片
３…天井面材
９…天井野縁（天井材支持フレーム）
１０…壁下地枠組体
１１…上辺枠材
１２…下辺枠材
１３…縦枠材
１４，１５…壁面材
２１…上部固定金物
２１ａａ…上面板部
２２…吊り下げ金物
２３…下部固定金物
２５…切欠部
２７…クリップ部
２７ａ，２７ｂ…リップ部
２８…ボルト
２９…固定ナット
３７…金物本体
３７ａ…金物本体の突部
３７ｂ…金物本体の取付片部
３８…ボルト
【図１】
2010065485.tif 000003
【図２】
2010065485.tif 000004
【図３】
2010065485.tif 000005
【図４】
2010065485.tif 000006
【図５】
2010065485.tif 000007
【図６】
2010065485.tif 000008
【図７】
2010065485.tif 000009
【図８】
2010065485.tif 000010
【図９】
2010065485.tif 000011
【図１０】
2010065485.tif 000012
【図１１】
2010065485.tif 000013
【図１２】
2010065485.tif 000014
【図１３】
2010065485.tif 000015
【図１４】
2010065485.tif 000016
【図１５】
2010065485.tif 000017
【図１６】
2010065485.tif 000018